(57)【要約】【課題】リード部端面にメッキ層が存在しなくても、半導体装置をプリント基板等の実装基板にハンダの接合剤により接合した際に、封止樹脂部から露出したリード部の上面部分を介してリード部端面にもハンダフィレットが形成される半導体装置およびその製造方法を提供する。【解決手段】ダイパッド部上に搭載された半導体素子と、ダイパッド部にその先端部が対向して配置された複数のリード部と、半導体素子の電極とリード部とを接続した金属細線と、それらを部分的に樹脂封止した樹脂封止型半導体装置のダイパッド部の底面部とリード部の底面部と外側面部と上側端部を封止樹脂から露出し、露出したリード底面部およびリード上側端部にメッキ層を施す。【選択図】図５
2014067750.tif 000002
【特許請求の範囲】
【請求項１】
ダイパッド部と、
前記ダイパッド部上に搭載された半導体素子と、
前記ダイパッド部に対向して配置された複数のリード部と、
前記半導体素子の複数の電極と前記複数のリード部とを接続している金属細線と、
前記複数のリード部が部分的に露出するように、前記ダイパッド部、前記半導体素子および前記複数のリード部を封止している封止樹脂と、を有し、
前記複数のリード部は、前記封止樹脂から露出した、底面であるリード底面部と先端であるリード外側面部と上面の一部であるリード上側端部とを備えており、
前記リード底面部は前記封止樹脂の底面と同一面内にあり、
前記リード底面部および前記リード上側端部はメッキ層を有しており、
前記リード上側端部の鉛直上方には前記封止樹脂の下の空間部を介して前記封止樹脂が存在することを特徴とする樹脂封止型半導体装置。
【請求項２】
前記メッキ層を有するリード上側端部の断面が円弧形状で形成されることを特徴とする請求項１に記載の樹脂封止型半導体装置。
【請求項３】
前記リード底面部のメッキ層および前記リード上側端部のメッキ層は、鉛、ビスマス、スズ、銅、銀、パラジウム、金のいずれか一つの金属層もしくは２つ以上の合金層からなることを特徴とする請求項１に記載の樹脂封止型半導体装置。
【請求項４】
前記複数のリード部は前記封止樹脂の下において、前記リード外側面部に近づくに従って厚みが薄くなることを特徴とする請求項１に記載の樹脂封止型半導体装置。
【請求項５】
前記ダイパッド部の底面部が前記封止樹脂から露出していることを特徴とする請求項１に記載の樹脂封止型半導体装置。
【請求項６】
前記リード外側面部が前記封止樹脂の側面よりも外側に突出していることを特徴とする請求項１に記載の樹脂封止型半導体装置。
【請求項７】
ダイパッド部および前記ダイパッド部に対向して配置された複数のリード部を１ユニットとして、そのユニットを複数有したフレームもしくは電鋳基板を準備する工程と、
前記フレームもしくは電鋳基板の前記ダイパッド部の各々に半導体素子を搭載し、前記リード部と前記半導体素子表面の電極を金属細線で接続する工程と、
前記複数のリード部の底面部が露出するように、前記ダイパッド部と前記半導体素子と前記リード部とを封止樹脂により樹脂封止する工程と、
樹脂封止された前記フレームもしくは電鋳基板の各ユニットの境界部分の前記リード部の切断箇所において、前記封止樹脂の上面側から回転ブレードによりリードプリカットを行い、前記リード部の一部を残して前記切断箇所に凹部を形成する工程と、
前記凹部の表面をウェットエッチングして前記封止樹脂の下となる領域までリード上側端部を形成する工程と、
ウェットエッチングした後の前記フレームもしくは電鋳基板をメッキ浴に浸して前記リード底面部と前記リード上側端部にメッキ層を形成する工程と、
前記切断箇所において、回転ブレードもしくは切断パンチにより、前記メッキ層が形成された前記リード部の残りの部分を切断してフルリードカットを行い、個々に分離する工程と、
からなることを特徴とする樹脂封止型半導体装置の製造方法。
【請求項８】
前記ダイパッド部と前記半導体素子と前記リード部とを樹脂封止する工程は、前記ダイパッド部の底面部を露出することを含む請求項７記載の樹脂封止型半導体装置の製造方法。
【発明の詳細な説明】
【技術分野】
【０００１】
本発明は、ＱＦＮ、ＤＦＮと称されるノンリードタイプの樹脂封止型半導体装置と、その製造方法に関するものであり、特にリード端子部の実装信頼性を向上させるものである。
【背景技術】
【０００２】
近年、電子機器の小型化に対応するために、半導体部品の高密度実装が要求され、それにともなって、半導体部品の小型化、薄型化が進んでいる。ＢＧＡやＣＳＰパッケージと並んで、リードフレームを用いた小型パッケージとして、ＤＦＮやＱＦＮ型の半導体装置が実用化されている。
【０００３】
図７（ａ）は、従来のＤＦＮパッケージの裏面図、図８（ｂ）はそのＡ−Ａ線断面図である。ＤＦＮパッケージは、リード部１３とダイパッド部１２に搭載された半導体素子１１とを封止樹脂１６によって封止し、その裏面から複数のリード部１３とダイパッド部１２を露出させている。複数のリード部１３は、パッケージ裏面において対向する２方向に整列され、それらが外部リードを形成している。また、複数のリード部１３は、封止樹脂１６内において金属細線１４を介して半導体素子１１の表面電極に電気的に接続されている。
【０００４】
ＤＦＮパッケージは、複数のリード部１３を樹脂１６から外部へ突出させないため、実装基板への実装面積を小さくすることができるという利点をもつ。また、ダイパッド部１２を封止樹脂１６から露出させることで、内部の発熱を効率良く外部へ放散させることができる。但し、ＤＦＮパッケージには、ダイパッド部１２を封止樹脂１６内に封止する構造もある。ＱＦＮパッケージは、パッケージ裏面において４方向に外部リードを露出させた構成である。
【０００５】
図８は、樹脂封止後のフレームを上から見た上面図である。図９は、図８に図示したフレームの切断後のＢ−Ｂ断面図であるが、図８および図９に示すように、フレーム枠の各ダイパッド部１２に搭載された半導体素子１１を封止樹脂１６で封止した後、切断ラインに沿って、ダイシング装置の回転ブレードによって封止樹脂１６とリード部１３とを同時に切断し、図１０に示すように個々の半導体装置に固片化する方法が採用されている。（例えば、特許文献１参照）
【先行技術文献】
【特許文献】
【０００６】
【特許文献１】特表２００２−５１９８４８号公報（第７図）
【発明の概要】
【発明が解決しようとする課題】
【０００７】
しかしながら、この種の樹脂封止型半導体装置は、樹脂封止後、リード部１３の切断箇所を回転ブレードで切断してフレームから分離し、個々の半導体装置を得るが、リード部１３をフレームから切断して形成するため、リード部１３の切断部の端面には、メッキ層１７が存在せず、半導体装置をプリント基板等の実装基板２０にハンダ１８を用いて接合した際に、リード部１３の封止樹脂部から露出した側面部分にはハンダ１８によるハンダフィレットが形成されず、実装強度が弱くなり実装信頼性が低下する恐れがあった。
【０００８】
図面を参照して説明すると、図１０に示した円内の拡大図として、図１１に半導体装置のリード部１３を示しているが、リード切断されたリード部１３の封止樹脂１６から露出したリード部１３の端面部には、他のリード部１３の外部表面に形成されているメッキ層１７が存在しない。したがって、実装された状態を拡大した模式断面図である図１２に示すように、半導体装置を実装基板２０にハンダ１８等の接合剤により実装した際、リード１３の端面部分にハンダフィレットが形成されずに実装強度が低下してしまう。
【０００９】
本発明は,上記課題を解決し、ＤＦＮあるいはＱＦＮタイプの樹脂封止型半導体装置の基板実装の強度向上および実装信頼性を高めることのできる半導体装置およびその製造方法を提供するものである。
【課題を解決するための手段】
【００１０】
上記課題を解決するために、以下のような手段を用いた。
まず、ダイパッド部上に搭載された半導体素子と、前記ダイパッド部にその先端部が対向して配置された複数のリード部と、前記半導体素子の電極と前記リード部とを接続した金属細線と、前記ダイパッド部と半導体素子と前記リード部を封止樹脂で部分的に封止した樹脂封止型半導体装置であって、前記ダイパッド部の底面部と前記リード部の底面部と外側面部と上側端部が前記封止樹脂から露出しており、前記露出したリード底面部およびリード上側端部にメッキ層を有していることを特徴とする樹脂封止型半導体装置とした。
【００１１】
また、前記メッキ層を有するリード上側端部が円弧形状で形成されることを特徴とする樹脂封止型半導体装置とした。
また、前記リード底面部のメッキ層および前記リード上側端部のメッキ層は、鉛、ビスマス、スズ、銅、銀、パラジウム、金のいずれか一つの金属層もしくは２つ以上の合金層からなることを特徴とする樹脂封止型半導体装置とした。
また、前記メッキ層を有するリード上側端部と封止樹脂との間に空間部が設けられていることを特徴とする樹脂封止型半導体装置とした。
【００１２】
また、ダイパッド部にその先端部が対向して配置された複数のリード部とを１ユニットとして、そのユニットを複数有したフレームもしくは電鋳基板を準備する工程と、前記フレームもしくは前記電鋳基板の各ダイパッド部に半導体素子を搭載し、前記リード部と前記半導体素子表面の電極を金属細線で電気的に接続する工程と前記ダイパッド部と前記半導体素子と前記リード部とを樹脂封止するに際し、ダイパッド部の底面部とリード部の底面部を露出する工程と、前記樹脂封止後のフレームもしくは電鋳基板の各ユニットの境界部分のリード部の切断箇所に対して、封止樹脂の上面側から回転ブレードによりリードプリカットを行い、一部リード部を残して前記切断箇所に凹部を形成する工程と、前記凹部の表面をウェットエッチングしてリード上側端部を形成する工程と、前記ウェットエッチングした後のフレームもしくは電鋳基板をメッキ浴に浸して前記リード底面部と前記リード上側端部にメッキ層を形成する工程と、前記切断箇所の凹部に対して回転ブレードもしくは切断パンチにより前記凹部残余リード部を切断してフルリードカットを行い、フレームから樹脂封止型半導体装置を分離する工程と、からなることを特徴とする樹脂封止型半導体装置の製造方法を用いた。
【発明の効果】
【００１３】
上記手段を用いることで、本発明の樹脂封止型半導体装置をプリント基板等の実装基板のランド部にハンダ接合した際、リード部に設けられたリード上側端部１９ｂのメッキ層までハンダフィレットが形成されるため、実装強度が向上し、実装信頼性を高めることができる。さらに、基板実装時、リード端面部に形状良好なハンダフィレットが形成されることにより、実装後の接合部の外観検査時の認識精度を向上させ、認識不良を防止することができる。
【図面の簡単な説明】
【００１４】
【図１】本発明の一実施例の半導体素子搭載したフレームの上面図
【図２】本発明の一実施形態の樹脂封止型半導体装置の製造方法を示す上面図(ａ)、断面図(ｂ)〜(ｄ)
【図３】図２に引き続く本発明の一実施形態の樹脂封止型半導体装置の製造方法を示す断面図(ｅ)〜(ｈ)
【図４】本発明の一実施形態の樹脂封止型半導体装置を示す断面図
【図５】本発明の一実施形態の樹脂封止型半導体装置を示す断面図（リード部拡大図）
【図６】本発明の一実施形態の樹脂封止型半導体装置を示す断面図（実装状態拡大図）
【図７】従来の樹脂封止型半導体装置を示す図
【図８】従来の樹脂封止型半導体装置の製造方法を示すフレーム上面図
【図９】従来の樹脂封止型半導体装置の製造方法を示す断面図
【図１０】従来の樹脂封止型半導体装置の断面図
【図１１】従来の樹脂封止型半導体装置を示す断面図（リード部拡大図）
【図１２】従来の樹脂封止型半導体装置を示す断面図（実装状態拡大図）
【発明を実施するための形態】
【００１５】
以下、本発明の樹脂封止型半導体装置およびその製造方法の一実施形態について図面を参照しながら説明する。まず、本実施例のフレームについて説明する。
【００１６】
図１は本実施例の半導体素子搭載したフレームの上面図であり、図２(ａ)は半導体素子搭載前のフレーム上面図、図２(ｂ)〜図３(ｈ)は、半導体装置の製造方法を示す断面図である。本実施例の半導体装置は、図１に示すように、フレームは銅（Ｃｕ）材からなり、ダイパッド部１２上に搭載された半導体素子１１と、ダイパッド部１２にその先端部が対向して配置された複数のリード部１３とを１ユニットとして、そのユニットを複数有した構成になる。図中の破線は、半導体素子１１を搭載して樹脂封止型半導体装置を構成する場合、封止樹脂１６で封止する領域を示しており、また一点鎖線で示した部分は、半導体素子１１を搭載した後、樹脂封止し、樹脂封止型半導体装置を構成した後、各々の半導体装置に分離する切断ラインを示している。
【００１７】
次に本実施例の樹脂封止型半導体装置について説明する。図４は、図１に示すフレームを用いた樹脂封止型半導体装置を示す図であり、図１に示されるＢ−Ｂ断面図である。
【００１８】
図４に示すように、フレームのダイパッド部１２上に半導体素子１１が搭載され、その半導体素子１１上の電極とリード部１３とが金属細線１４により電気的に接続されている。そしてダイパッド部１２上の半導体素子１１、リード部１３の外囲は封止樹脂１６により封止されている。そしてそのリード部１３は封止樹脂１６の底面から露出し、リード底面部１９ａが、外部端子を構成している。ＤＦＮあるいはＱＦＮにおいては、リード底面部と封止樹脂の底面はほぼ同一面となっている。また、封止樹脂１６の側面からはリードの先端となるリード外側面部１９ｃが露出している。リード外側面部１９ｃは切断のされ方により、実質的に封止樹脂１６の側面と同一面となることもあれば、封止樹脂１６の側面からわずかに突出することもある。さらに本実施例の樹脂封止型半導体装置には、リード外側面部１９ｃの上に連続するリード上側端部１９ｂを設けている。リード上側端部１９ｂはその断面が円弧形状に形成されているので、リード上側端部１９ｂと封止樹脂１６との間には封止樹脂１６の存在しない空間部が設けられることになる。従って、リード部１３はその先端であるリード外側面部１９ｃに近づくに従って厚みが薄くなる形状となっており、リード上側端部の鉛直上方には空間部を介して封止樹脂が存在している。なお、空間部は封止樹脂側から見れば、封止樹脂の鉛直下方であって、封止樹脂とリード上側端部との間にリード部の金属が存在しない領域となる。
【００１９】
リード底面部１９ａおよびリード上側端部１９ｂはメッキ層１７を有し、メッキ層１７は、鉛、ビスマス、スズ、銅、銀、パラジウム、金のいずれかの金属もしくは複数の金属の合金から成り、電解メッキ法もしくは無電解メッキ法によって形成される。
【００２０】
図５は、図４に示すリード部１３を拡大（○囲み部）した拡大図であり、リード部１３、リード底面部１９ａ、リード上側端部１９ｂ、リード外側面部１９ｃおよびメッキ層１７が図示してある。
【００２１】
図６に示すように、本実施例の樹脂封止型半導体装置をプリント基板等の実装基板２０のランド部２１にハンダ１８により接合した際、リード部１３に設けられたリード上側端部１９ｂにメッキ層１７を有しているため、リード部１３の側面部分にハンダフィレットが形成されるため、実装強度が向上し、実装信頼性を高めることができる。
【００２２】
次に本実施形態の樹脂封止型半導体装置の製造方法について説明する。
図２（ａ）に示すように、フレーム内に半導体素子が載置される矩形状のダイパッド部１２とそのダイパッド部１２に先端部が対向して配置された複数のリード部１３とを１ユニットとして、そのユニットを複数有した銅材よりなるリードフレームを用意する。リードフレームの底面側には、封止シート１５が貼付されており、この封止シート１５はリード部１３の底面に封止樹脂が回り込まないように保護し、リード部１３の底面を露出させるための機能部材になる。
【００２３】
図２（ｂ）に示すように、リードフレームの各ユニットのダイパッド部１２上に銀ペースト等の接着剤(図示せず)により、それぞれ半導体素子１１をダイボンディングし、その後、図２（ｃ）に示すように、ワイヤーボンディング法により半導体素子１１上の電極パッド（図示せず）とリード部１３とを金属細線１４により電気的に接続する。
【００２４】
次に図２（ｄ）に示すように、トランスファーモールド法により、エポキシ系樹脂よりなる封止樹脂１６により、リードフレームの外囲としてダイパッド部１２、半導体素子１１、リード部１３の上面領域と金属細線１４の接続領域を封止する。
【００２５】
次に図３（ｅ）に示すように、リードフレームのリード部１３の底面に密着させていた封止シート１５を取り除く。この状態では、ダイパット１２およびリード部１３が封止樹脂１６から露出している。 樹脂封止後のリードフレームのリード部１３の切断箇所に対して、封止樹脂１６側からダイシング法により回転ブレードで、第１の切断としてプリリードカットを行い、切断箇所に凹部を形成する。このプリリードカットは、リード部１３の厚みの５％〜８０％をカットするものである。
【００２６】
次に図３（ｆ）に示すように、カットされなかった残余リード部は、封止樹脂１６面側から等方性のウェットエッチングにより、円弧上の形状にエッチングされ、リード上側端部１９ｂが形成される。
【００２７】
次に図３（ｇ）に示すように、リードフレームのリード部１３に対してウェットエッチングにより円弧上に形成されたリード部１３の底面部１９ａと上側端部１９ｂとダイパッド部１２底面部にメッキ層１７を形成する。ここでは、スズ１００％組成のメッキ層を電解メッキ法により形成する。メッキ層１７の形成は、電解メッキによる方法の他、無電解メッキを使用してもよい。
上記説明では、封止シート１５を図３（ｅ）で行うとしたが、図３（ｆ）のウェットエッチングの後、すなわち、メッキ層１７形成前に行なっても良い。
【００２８】
次に図３（ｈ）に示すように、メッキ層１７が形成されたリード部１３の切断箇所の凹部に対して、封止樹脂１６側から回転ブレードにより、第２のリードカットとしてフルカットを行い、リードフレームから樹脂封止型半導体装置を分離する。このとき、リード外側面部１９ｃが形成される。この工程では残余しているリード部１３の厚みが薄くなっているため、抵抗なくブレード切断できる。また本実施例では、回転ブレードによって第２のリードカットとしてフルカットを行い、リードフレームから樹脂封止型半導体装置を分離しているが、金型パンチを用いた切断法を用いて分離してもよい。これによって、リードフレームのリード材によるカエリ（バリ）の発生を防止できる。
【００２９】
なお、プリリードカットとフルリードカットとで用いる回転ブレードの幅、形状は適宜変更し、フルリードカットで用いる回転ブレード１４の幅をプリリードカットで用いる回転ブレードの幅より小さく設定してもよい。この場合、リード部１３の先端であるリード外側面部１９ｃは封止樹脂１６の側面よりもわずかに外側に突出することになる。
【００３０】
以上、本発明の樹脂封止型半導体装置およびその製造方法において、樹脂封止型半導体装置は、半導体装置をプリント基板等の実装基板２０のランド部２１にハンダ１８により接合した際、リード部１３に設けられたリード上側端部１９ｂにメッキ層１７を有しているため、リード部１３の側面部分にハンダフィレットが形成されるため、実装強度が向上し、実装信頼性を高めることができる。さらに、基板実装時、リード端面部に形状良好なハンダフィレットが形成されることにより、実装後の接合部の外観検査時の認識精度を向上させ、認識不良を防止することができる。
【符号の説明】
【００３１】
１１  半導体素子
１２  ダイパッド部
１３  リード部
１４  金属細線
１５  封止シート
１６  封止樹脂
１７  メッキ層
１８  ハンダ
１９ａ  リード底面部
１９ｂ  リード上側端部
１９ｃ  リード外側面部
２０  実装基板
２１  ランド部
２２  ウェットエッチング部
【図１】
2014067750.tif 000003
【図２】
2014067750.tif 000004
【図３】
2014067750.tif 000005
【図４】
2014067750.tif 000006
【図５】
2014067750.tif 000007
【図６】
2014067750.tif 000008
【図７】
2014067750.tif 000009
【図８】
2014067750.tif 000010
【図９】
2014067750.tif 000011
【図１０】
2014067750.tif 000012
【図１１】
2014067750.tif 000013
【図１２】
2014067750.tif 000014